(57)【要約】【課題】光ファイバの本数に比べて余長処理具の個数を大幅に少なくすることができ、光ファイバの本数の割に集線装置の全体を小形にできるようにする。【解決手段】複数の接続部１ａを有する複数の回路基板１と、該回路基板１を並置して収容する筺体２と、その一端部が前記接続部１ａに接続され、その長手方向の一部が固定された複数の光ファイバ３の余長部分を巻回して余長処理する余長処理具４とを備え、余長処理具４は複数の光ファイバ３が巻回された巻回部分を保持する保持部を有する構成とした。【選択図】　　　　図１
2004029701.tif 000002
【特許請求の範囲】
【請求項１】
複数の接続部を有する複数の回路基板と、該回路基板を並置して収容する筐体と、その一端部が前記接続部に接続され、その長手方向の一部が固定された複数の光ファイバの余長部分を巻回して余長処理する余長処理具とを備え、前記余長処理具が余長処理した複数の光ファイバを前記回路基板に集める集線装置において、前記余長処理具は複数の光ファイバが巻回された巻回部分を保持する保持部を有することを特徴とする集線装置。
【請求項２】
前記回路基板は挿脱可能になっており、前記余長処理具は前記回路基板に対して該回路基板が挿脱される位置と反対側位置に配置してある請求項１記載の集線装置。
【請求項３】
前記回路基板は前記筐体の前方で挿脱が可能であり、前記筐体は前記回路基板の上方又は下方に光ファイバの挿通路を有する請求項２記載の集線装置。
【請求項４】
前記挿通路は前記回路基板側が前記余長処理具側よりも低くしてある請求項３記載の集線装置。
【請求項５】
前記余長処理具は余長処理具本体と、その一端が前記余長処理具本体に連なり、前記余長処理具本体との間で前記巻回部分を保持する保持片と、該保持片の他端を前記余長処理具本体に係止する係止手段とを有する請求項１又は２記載の集線装置。
【請求項６】
前記余長処理具本体及び保持片の間に、光ファイバの前記巻回部分の外周側が接触する外周側保持部と、前記巻回部分の内周側が接触する内周側保持部とを有する請求項５記載の集線装置。
【請求項７】
前記保持片は複数であり、各保持片が前記余長処理具本体の離間した位置に配置されており、各保持片の互いに近い側に前記係止手段を有する請求項５又は６記載の集線装置。
【請求項８】
前記回路基板は前記筐体の前方で挿脱が可能であり、前記回路基板の上方又は下方に、前記回路基板が並置されている並置方向へ光ファイバを案内する複数の案内凸部を前記並置方向に離間して備える請求項１〜４のいずれかに記載の集線装置。
【請求項９】
複数の余長処理具を備えており、前記筐体は各余長処理具を筐体の後方から前方へ挿入することにより並置して格納する格納部を有しており、該格納部は前記挿通路に対して上方、下方、後方の何れか一方に配置してある請求項３又は４記載の集線装置。
【請求項１０】
前記格納部は上側及び下側の少なくとも一方を開放してある請求項９記載の集線装置。
【請求項１１】
前記格納部は各余長処理具を係止するための係止部を有しており、各余長処理具は前記係止部に係止される被係止部を有する請求項１０記載の集線装置。
【請求項１２】
収容部を有する筐体の前記収容部に並置して収容された複数の回路基板にその一端部が接続され、その長手方向の一部が固定された複数の光ファイバの余長部分を余長処理具によって余長処理する光ファイバ余長処理方法において、前記筐体は前記余長処理具を並置して格納する格納部を有しており、複数の光ファイバの余長部分を巻回し、この巻回部分を前記余長処理具に保持させた後、余長処理具を前記格納部に挿入することを特徴とする光ファイバ余長処理方法。
【請求項１３】
複数の光ファイバを一括して巻回し、この巻回部分を余長処理具に保持させる請求項１２記載の光ファイバ余長処理方法。
【請求項１４】
余長部分の長さがより長い光ファイバを大径に巻回し、余長部分の長さがより短い光ファイバを小径に巻回し、大径の巻回部分及び小径の巻回部分を余長処理具に保持させる請求項１２又は１３に記載の光ファイバ余長処理方法。
【請求項１５】
余長処理具を格納部の外側から前記格納部に挿入するとき、又は、余長処理具を格納部から該格納部の外側へ引き出すとき、光ファイバの前記巻回部分が回転する請求項１２〜１４のいずれかに記載の光ファイバ余長処理方法。
【発明の詳細な説明】
【０００１】
【発明の属する技術分野】
本発明は、通信回線等の光ケーブルの端から分岐した複数本の光ファイバを複数の回路基板に接続してなる集線装置及び前記光ファイバの余長部分を処理する光ファイバ余長処理方法に関する。
【０００２】
【従来の技術】
近年電話局と一般家庭とを光ケーブルで接続する電話通信網が発展しており、この電話通信網内にある電話局は集線装置を備えている。この集線装置は、その一側に複数の接続部を有する複数の回路基板を備え、該回路基板が、並設された複数の収容部を有する筐体の前記収容部に並置して収容されている。
【０００３】
光ケーブルは、前記筐体が搭載された架台に長手方向の一部をバンド部材により固定して長手方向への移動を規制し、この固定部の近傍で光ケーブルの端から前記光ファイバが分岐している。前記架台に対する筐体の配設位置、及び光ファイバの配線経路が多少異なる場合があり、どのような場合でも光ファイバを回路基板の接続部に接続することができるように、光ファイバは前記固定部から前記一端部までの間で余長が発生する長さにしてあるため、この余長部分を巻回によって処理する余長処理具が用いられている。（例えば、特許文献１参照。）
この余長処理具は、前記光ファイバの１本が巻回される巻回部を有しており、前記回路基板の上方に、回路基板に対応して並置格納されている。
【０００４】
【特許文献１】
特許第２９９３６０２号公報
【０００５】
【発明が解決しようとする課題】
ところが、以上のように構成された集線装置は、１本の光ファイバに対して１つの余長処理具が用いられているため、多数の接続部を有する回路基板に多数の光ファイバが接続される場合、複数の光ファイバに対応して余長処理具の個数が増加し、この余長処理具を格納するための格納スペースが拡大し、光ファイバの本数の割に集線装置の全体が大形となり、改善策が要望されていた。
【０００６】
本発明は斯かる事情に鑑みてなされたものであり、余長処理具を複数の光ファイバが巻回された巻回部分を保持する保持部を有する構成とすることにより、光ファイバの本数に比べて余長処理具の個数を少なくすることができ、光ファイバの本数の割に集線装置の全体を小形にできる集線装置を提供することを目的とする。
【０００７】
また、余長処理具を回路基板に対して該回路基板が挿脱される位置と反対側位置に配置することにより、光ファイバの本数の割に集線装置の全体を低くすることができる集線装置を提供することを目的とする。
【０００８】
また、回路基板の上方又は下方に光ファイバの挿通路を設けることにより、光ファイバの余長を短くすることができる集線装置を提供することを目的とする。
【０００９】
また、挿通路の回路基板側が余長処理具側よりも低くしてある構成とすることにより、光ファイバを挿通路から容易に引き出すことができる集線装置を提供することを目的とする。
【００１０】
さらに、余長処理具が余長処理具本体と、該余長処理具本体との間で前記巻回部分を保持する保持片と、該保持片の他端を余長処理具本体に係止する係止手段とを有する構成とすることにより、余長処理具本体と保持片との間の保持空間によって複数の光ファイバの余長処理具への保持を容易にできる集線装置を提供することを目的とする。
【００１１】
また、余長処理具本体及び保持片の間に、光ファイバの巻回部分の外周側が接触する外周側保持部と、前記巻回部分の内周側が接触する内周側保持部とを有する構成とすることにより、余長部分の長さが異なる複数の光ファイバを１つの余長さ処理具で容易に処理することができる集線装置を提供することを目的とする。
【００１２】
また、保持片が複数であり、各保持片が前記余長処理具本体の離間した位置に配置されており、各保持片の互いに近い側に係止手段を有する構成とすることにより、保持片の係止手段による係止を解除した状態で余長処理具本体と保持片との間の保持空間に光ファイバの巻回部分を挿入したとき、光ファイバの巻回部分の弾性復元によって巻回部分の巻回状態を維持することができ、しかも、巻回部分で邪魔されることなく係止手段の操作ができる集線装置を提供することを目的とする。
【００１３】
また、回路基板の上方又は下方に、回路基板が並置されている並置方向へ光ファイバを案内する複数の案内凸部を前記並置方向に離間して備える構成とすることにより、故障した回路基板に対応する光ファイバの横渡しを行い、該光ファイバを空の回路基板に対応する位置に整然と配置することができる集線装置を提供することを目的とする。
【００１４】
さらに、複数の余長処理具を並置して格納する格納部を筐体に設け、この格納部を挿通路に対して上方、下方、後方の何れか一方に配置することにより、光ファイバの挿通路への挿通作業を容易にできる集線装置を提供することを目的とする。
【００１５】
また、格納部の上側及び下側の少なくとも一方を開放した構成とすることにより、余長処理具を狭い格納スペースに格納して余長処理を行う際に、その一端部にかさばる光コネクタを有する複数の光ファイバの各光コネクタを狭い格納スペースに通さずに済ませることができ、さらに、巻回した光ファイバを保持した余長処理具を格納部に格納後でも、光ファイバにアクセスして巻回状態を整えることができる集線装置を提供することを目的とする。
【００１６】
また、格納部に各余長処理具を係止するための係止部を設け、この係止部に係止される被係止部を各余長処理具に設けた構成とすることにより、余長処理具の格納を容易にすることができる集線装置を提供することを目的とする。
【００１７】
さらに、複数の光ファイバの余長部分を巻回し、この巻回部分を余長処理具に保持させた後、該余長処理具を筐体の格納部に挿入することにより、光ファイバの本数に比べて余長処理回数を低減でき、余長処理の作業性を向上できる光ファイバ余長処理方法を提供することを目的とする。
【００１８】
また、複数の光ファイバを一括して巻回し、この巻回部分を余長処理具に保持させることにより、光ファイバの本数に比べて余長処理回数をより一層低減でき、余長処理の作業性をより一層向上できる光ファイバ余長処理方法を提供することを目的とする。
【００１９】
また、余長部分の長さがより長い光ファイバを大径に巻回し、余長部分の長さがより短い光ファイバを小径に巻回し、大径の巻回部分及び小径の巻回部分を余長処理具に保持させることにより、余長部分の長さが異なる複数の光ファイバの余長処理の作業性を向上できる光ファイバ余長処理方法を提供することを目的とする。
【００２０】
また、余長処理具を格納部の外側から格納部に挿入するとき、光ファイバの巻回部分が回転することにより、新たに余長を発生させることなく、余長処理具を格納部に格納することができ、また、余長処理具を格納部から該格納部の外側へ引き出すとき、光ファイバの巻回部分が回転することにより、光ファイバを突っ掛からせることなく余長処理具を引き出すことができる光ファイバ余長処理方法を提供することを目的とする。
【００２１】
【課題を解決するための手段】
第１発明に係る集線装置は、複数の接続部を有する複数の回路基板と、該回路基板を並置して収容する筐体と、その一端部が前記接続部に接続され、その長手方向の一部が固定された複数の光ファイバの余長部分を巻回して余長処理する余長処理具とを備え、前記余長処理具が余長処理した複数の光ファイバを前記回路基板に集める集線装置において、前記余長処理具は複数の光ファイバが巻回された巻回部分を保持する保持部を有することを特徴とする。
【００２２】
第１発明にあっては、複数の光ファイバを１つの余長処理具に巻回して処理することができるため、多数の接続部を有する回路基板に多数の光ファイバが接続される場合、光ファイバの本数に比べて余長処理具の個数を大幅に少なくすることができ、余長処理具を格納するための格納スペースを少なくすることができ、光ファイバの本数の割に集線装置の全体を小形にできる。
【００２３】
第２発明に係る集線装置は、前記回路基板は挿脱可能になっており、前記余長処理具は前記回路基板に対して該回路基板が挿脱される位置と反対側位置に配置してあることを特徴とする。
【００２４】
第２発明にあっては、回路基板の背面側に余長処理具が配置されているため、余長処理具を格納するための格納スペースを回路基板の上方に設ける必要がなく、光ファイバの本数の割に集線装置の全体を低くすることができる。
【００２５】
第３発明に係る集線装置は、前記回路基板は前記筐体の前方で挿脱が可能であり、前記筐体は前記回路基板の上方又は下方に光ファイバの挿通路を有することを特徴とする。
【００２６】
第３発明にあっては、余長処理具によって巻回処理された光ファイバを挿通路に配置することができるため、光ファイバの余長を短くすることができる。
【００２７】
第４発明に係る集線装置は、前記挿通路は前記回路基板側が前記余長処理具側よりも低くしてあることを特徴とする。
【００２８】
第４発明にあっては、挿通路の回路基板側が余長処理具側よりも低くしてあるため、光ファイバを挿通路から容易に引き出すことができる。
【００２９】
第５発明に係る集線装置は、前記余長処理具は余長処理具本体と、その一端が前記余長処理具本体に連なり、前記余長処理具本体との間で前記巻回部分を保持する保持片と、該保持片の他端を前記余長処理具本体に係止する係止手段とを有することを特徴とする。
【００３０】
第５発明にあっては、余長処理具本体と保持片との間に閉ループの保持空間を形成することができ、この保持空間で光ファイバの巻回部分を保持することができるため、複数の光ファイバが一括して巻回される場合においても、この巻回部分を、前記係止手段による保持片の係止を解除して前記保持空間に挿入することにより保持することができ、複数の光ファイバの余長処理具への保持を容易にできる。
【００３１】
第６発明に係る集線装置は、余長処理具本体及び保持片の間に、光ファイバの前記巻回部分の外周側が接触する外周側保持部と、前記巻回部分の内周側が接触する内周側保持部とを有することを特徴とする。
【００３２】
第６発明にあっては、余長部分の長さがより長い光ファイバを大径に巻回し、余長部分の長さがより短い光ファイバを小径に巻回し、大径の巻回部分を保持片の外周側保持部で保持することができ、小径の巻回部分を保持片の内周側保持部で保持することができるため、余長部分の長さが異なる複数の光ファイバを１つの余長処理具で容易に処理することができる。
【００３３】
第７発明に係る集線装置は、前記保持片は複数であり、各保持片が前記余長処理具本体の離間した位置に配置されており、各保持片の互いに近い側に前記係止手段を有することを特徴とする。
【００３４】
第７発明にあっては、離間した位置に形成された複数の保持空間の互いに近い側から保持空間へ光ファイバの巻回部分を挿入することができるため、保持片の係止手段による係止を解除した状態で前記保持空間に光ファイバの巻回部分を挿入したとき、光ファイバの巻回部分の弾性復元によって巻回部分の巻回状態を維持することができ、しかも、巻回部分で邪魔されることなく係止手段の操作ができる。
【００３５】
第８発明に係る集線装置は、前記回路基板は前記筐体の前方で挿脱が可能であり、前記回路基板の上方又は下方に、前記回路基板が並置されている並置方向へ光ファイバを案内する複数の案内凸部を前記並置方向に離間して備えることを特徴とする。
【００３６】
第８発明にあっては、並置された複数の回路基板に光ファイバの一端部が接続されていない空の回路基板が存在する状態で、回路基板の１つが故障した場合、この故障した回路基板に対応する光ファイバの途中を前記案内凸部の１つに引掛けて光ファイバの横渡しを行い、さらに該光ファイバの途中を前記案内凸部の他の１つに引掛けて光ファイバの一端部を、前記空の回路基板に対応する位置に配置することができ、光ファイバを整然と配置することができる。
【００３７】
第９発明に係る集線装置は、複数の余長処理具を備えており、前記筐体は各余長処理具を筐体の後方から前方へ挿入することにより並置して格納する格納部を有しており、該格納部は前記挿通路に対して上方、下方、後方の何れか一方に配置してあることを特徴とする。
【００３８】
第９発明にあっては、挿通路を外部に開放してあるため、格納部で邪魔されることなく、格納部と挿通路との間の空間を利用して光ファイバを挿通路へ容易に挿入することができる。
【００３９】
第１０発明に係る集線装置は、前記格納部は上側及び下側の少なくとも一方を開放してあることを特徴とする。
【００４０】
第１０発明にあっては、格納部に余長処理具の格納スペースが１つ分だけ残っている場合など、余長処理具を狭い格納スペースに格納して余長処理を行う際に、その一端部にかさばる光コネクタを有する複数の光ファイバの各光コネクタを狭い格納スペースに通すことなく、格納部の上側又は下側の開放部から挿通路へ容易に挿入することができる。また、巻回した光ファイバを保持した余長処理具が格納された後でも、格納部の上側又は下側の開放部で光ファイバにアクセスして巻回状態を整えることができる。
【００４１】
第１１発明に係る集線装置は、前記格納部は各余長処理具を係止するための係止部を有しており、各余長処理具は前記係止部に係止される被係止部を有することを特徴とする。
【００４２】
第１１発明にあっては、余長処理具の被係止部を係止部に係止することにより、余長処理具を格納することができるため、この余長処理具の格納を容易にできる。
【００４３】
第１２発明に係る光ファイバ余長処理方法は、収容部を有する筐体の前記収容部に並置して収容された複数の回路基板にその一端部が接続され、その長手方向の一部が固定された複数の光ファイバの余長部分を余長処理具によって余長処理する光ファイバ余長処理方法において、前記筐体は前記余長処理具を並置して格納する格納部を有しており、複数の光ファイバの余長部分を巻回し、この巻回部分を前記余長処理具に保持させた後、余長処理具を前記格納部に挿入することを特徴とする。
【００４４】
第１２発明にあっては、複数の光ファイバを１つの余長処理具に巻回して処理することができるため、多数の接続部を有する回路基板に多数の光ファイバが接続される場合、光ファイバの本数に比べて余長処理回数を低減でき、しかも、余長処理具を筐体の格納部に挿入することにより、余長処理状態を維持することができ、余長処理の作業性を向上できる。
【００４５】
第１３発明に係る光ファイバ余長処理方法は、複数の光ファイバを一括して巻回し、この巻回部分を余長処理具に保持させることを特徴とする。
【００４６】
第１３発明にあっては、複数の光ファイバを一括して巻回した後、この巻回部分を余長処理具に保持させることにより、複数の光ファイバの余長を一括して処理することができるため、多数の接続部を有する回路基板に多数の光ファイバが接続される場合においても、光ファイバの本数に比べて余長処理回数をより一層低減でき、余長処理の作業性をより一層向上できる。
【００４７】
第１４発明に係る光ファイバ余長処理方法は、余長部分の長さがより長い光ファイバを大径に巻回し、余長部分の長さがより短い光ファイバを小径に巻回し、大径の巻回部分及び小径の巻回部分を余長処理具に保持させることを特徴とする。
【００４８】
第１４発明にあっては、大径の巻回部分及び小径の巻回部分を余長処理具に保持させるため、余長部分の長さが異なる複数の光ファイバの余長処理の作業性を向上できる。
【００４９】
第１５発明に係る光ファイバ余長処理方法は、余長処理具を格納部の外側から前記格納部に挿入するとき、又は、余長処理具を格納部から該格納部の外側へ引き出すとき、光ファイバの前記巻回部分が回転することを特徴とする。
【００５０】
第１５発明にあっては、格納部から余長処理具を外側に出した状態で光ファイバの巻回部分を余長処理具に保持した後、余長処理具を前記格納部に挿入するとき、新たに余長を発生させることなく、余長処理具を格納部に格納することができる。また、余長処理具を格納部から該格納部の外側へ引き出すとき、光ファイバを突っ掛からせることなく余長処理具を引き出すことができる。
【００５１】
【発明の実施の形態】
以下本発明をその実施の形態を示す図面に基づいて詳述する。
実施の形態１
図１は本発明に係る集線装置の実施の形態１の構成を示す図であって、一部を省略した斜視図、図２は集線装置の縦断側面図、図３は集線装置の正面図、図４は集線装置が架台に搭載された状態の斜視図、図５は集線装置の背面側の一部を示す斜視図、図６は集線装置の余長処理具が光ファイバの余長部分を処理した状態を示す斜視図である。
【００５２】
この集線装置は、前面となる一側に複数の接続部１ａを上下に有する複数の回路基板１と、該回路基板１が左右に並置して収容される複数の収容部２１を有する筐体２と、その一端部が前記接続部１ａに接続される光ファイバ３の余長部分を巻回して余長処理する余長処理具４とを備え、前記回路基板１が前記収容部２１に前後方向へ挿脱可能になっており、さらに、前記回路基板１に対して該回路基板１が挿脱される位置と反対側位置、換言すれば回路基板１に対して背面となる位置で、各回路基板１に対応した位置に前記余長処理具４が配置してある。また、回路基板１の夫々の接続部１ａには光コネクタ５が接続されている。
【００５３】
筐体２は前面が開放され、左右に並列に設けられた複数の前記収容部２１と、該収容部２１の下方に配置され、前面から取り入れた外気を各収容部２１に導入する吸気路２２と、該吸気路２２の下方に配置され、前後に貫通する挿通路２３と、前記収容部２１の上方に配置され、前記収容部２１内の空気を外部に排出する排気路２４とを備えている。図２で示すように筐体２はさらに前記収容部２１に対して背面側となる位置で、収容部２１と対応する位置、換言すれば、回路基板１に対して該回路基板１が挿脱される位置と反対側位置で収容部２１と対応する位置には、図５で示すように前記収容部２１と反対方向へ開放された複数の格納部２５が左右に並列に設けられている。また、この筐体２は架台６に搭載される。挿通路２３は前記光ファイバ３を挿通するものであり、図２で示すように前後方向の途中から前縁に亘って下向きに傾斜している。尚、この挿通路２３は前記回路基板１側が前記余長処理具４側よりも低くなっておればよく、傾斜してなくともよい。
【００５４】
光ファイバ３は、光ケーブル３０から分岐した複数本であり、光ケーブル３０の端部がバンド部材７によって前記架台６に保持されることにより、長手方向の一部で固定され、この固定部Ａから前記接続部１ａに接続される一端部までの間で余長部分が発生する。複数の光ファイバ３の余長部分はほぼ等しい長さである。
【００５５】
この余長部分は回路基板１の前面となる一側に上下に設けられた前記接続部１ａとの関係で長さが異なる。例えば、余長処理具４が回路基板１に対して背面となる位置に配置され、回路基板１の下方の挿通路２３に光ファイバ３が挿通される構成にあっては、上側の接続部１ａに接続される光ファイバ３の余長部分は短くなり、下側の接続部１ａに接続される光ファイバ３の余長部分は長くなる。従って、余長部分の長さが長い光ファイバ３は大径に巻回し、余長部分の長さが短い光ファイバ３は小径に巻回するのが好ましい。
【００５６】
図７は余長処理具の斜視図、図８は余長処理具の断面図、図９は光ファイバの巻回部分を余長処理具に保持させる前の状態を示す斜視図である。
余長処理具４は、矩形板からなる余長処理具本体４１と、その一端が余長処理具本体４１と連なる略コ字形の２つの保持片４３と、該保持片４３の他端を前記余長処理具本体４１に係止する係止手段４４とを有し、前記格納部２５に各別に挿入されている。保持片４３は、余長処理具本体４１との間で前記巻回部分３ａを保持するもので、その長手方向の途中に薄肉のヒンジ４２を有しており、前記係止手段４４による係止を解除したとき、前記ヒンジ４２を支点として保持片４３を回動させることができるようにしてある。また、２つの保持片４３は前記余長処理具本体４１の長手方向に離間して配置されている。
【００５７】
保持片４３の一端部が、光ファイバ３の前記巻回部分３ａの外周側が接触する外周側保持部４５ａになっており、保持片４３の係止手段４４部分が、前記巻回部分３ａの内周側が接触する内周側保持部４５ｂになっている。また、外周側保持部４５ａと内周側保持部４５ｂとは、大径に巻回された巻回部分３ａと、小径に巻回された巻回部分３ａとを挿入保持することができる間隔にしてある。
【００５８】
係止手段４４は、前記保持片４３の他端に突設された係止凸部４４ａと、該係止凸部４４ａが挿入される挿入孔４４ｂ及び該挿入孔４４ｂの内側で前記係止凸部４４ａが係合する係合凹部４４ｃを有し、前記余長処理具本体４１に突設された係止片４４ｄとからなり、係止凸部４４ａの係合凹部４４ｃとの係合により余長処理具本体４１と保持片４３との間の保持空間を閉じ、係止凸部４４ａの係合凹部４４ｃとの係合離脱により前記保持空間を開くようにしてある。
【００５９】
係止凸部４４ａは、保持片４３の他端に連なる薄肉の操作片４６の途中に突設されており、操作片４６を摘むことによって、該操作片４６を撓ませ、前記係止凸部４４ａの係合凹部４４ｃとの係合を離脱し、非操作時には操作片４６の弾性復元力によって係止凸部４４ａを係合凹部４４ｃに係合させるようにしてある。
【００６０】
以上のように構成された集線装置は、架台６に保持された光ケーブル３０の端から分岐する多数の光ファイバ３の一端部側が筐体２の背面側から挿通路２３に挿通され、該挿通路２３から回路基板１の前面側へ引き出され、光コネクタ５を介して回路基板１の接続部１ａに各別に接続される。この場合、光ファイバ３は挿通路２３に配置されるため、余長処理具４を回路基板１の上方及び下方に配置することなく、余長処理具４を回路基板１の背面側に配置することができる。また、光ファイバ３は挿通路２３の傾斜部に沿って滑らせつつ挿通することができるため、光ファイバ３の一端部側を回路基板１の前面側へ容易に引き出すことができ、一端部を回路基板１の接続部１ａに容易に接続することができる。
【００６１】
このように光ファイバ３の一端部を回路基板１の接続部１ａに接続した際に発生する光ファイバ３の余長部分は、前記格納部２５から引き出された余長処理具４の保持部に巻回して処理される。
この余長処理は各回路基板１に対応する光ファイバ３の複数本を一括して巻回し、この巻回部分３ａを格納部２５から引き出された余長処理具本体４１と保持片４３との間の保持部の保持空間に挿入保持する。この場合、操作片４６を摘むことによって２つの保持片４３の係止凸部４４ａ及び係止凹部４４ｃによる係止を解除し、ヒンジ４２によって２つの保持空間の内側を開放し、この開放部から前記巻回部分３ａを保持空間に挿入し、前記保持片４３を余長処理具本体４１側へ押圧することにより、係止凸部４４ａが係止凹部４４ｃに係合し、前記保持空間を閉じることができ、前記巻回部分３ａの巻回状態を維持することができる。この後、余長処理具４を前記格納部２５に挿入することにより、複数本の光ファイバ３を１つの余長処理具４で処理することができる。
【００６２】
図１０は光ファイバの余長部分を処理した余長処理具を格納する動作を示す斜視図である。
前記巻回部分３ａは前記保持空間に挿入保持してあり、格納部２５から引き出された余長処理具４を格納部２５に挿入するとき、光ファイバ３の前記巻回部分３ａが回転するため、新たに余長を発生させることなく、余長処理具４を格納部２５に格納することができる。尚、前記巻回部分３ａは余長処理具４を格納部２５から該格納部２５の外側へ引き出すときも回転する。
【００６３】
また、前記巻回部分３ａは前記保持空間に挿入保持するため、例えば余長部分の長さが長い複数本の光ファイバ３は一括して大径に巻回し、余長部分の長さが短い複数本の光ファイバ３は一括して小径に巻回することにより、大径の巻回部分３ａ及び小径の巻回部分３ａを前記保持空間に挿入保持することができる。この場合、大径の巻回部分３ａは外周側保持部４５ａで保持することができ、小径の巻回部分３ａは内周側保持部４５ｂで保持することができるため、余長部分の長さが異なる複数本の光ファイバ３を１つの余長処理具４で容易に処理することができる。
【００６４】
実施の形態２
図１１は本発明に係る集線装置の実施の形態２の構成を示す正面図、図１２は集線装置の実施の形態２の構成を示す縦断側面図である。
実施の形態２の集線装置は、前記回路基板１に対して背面側となる位置に前記余長処理具４を配置する代わりに、前記回路基板１の下方で、各回路基板１に対応した位置に余長処理具４を配置し、さらに、該余長処理具４の下方で、各余長処理具４に対応した位置に、前記回路基板１が並置されている並置方向へ光ファイバ３を案内する案内凸部８を前記並置方向に離間して設けたものである。
【００６５】
実施の形態２において、筐体２には前記収容部２１の下方で、収容部２１に対応した位置に格納部２５が並列に配置されており、各余長処理具４は各格納部２５に前後方向へ挿脱可能になっている。また、案内凸部８はその長手方向が前後（余長処理具４の挿脱方向）となるピンである。
【００６６】
実施の形態２にあっては、図１２で示すように１つの余長処理具４に巻回保持された光ファイバ３の１本又は複数本の途中を１つの余長処理具４に対応した位置に設けられた案内凸部８に引掛けて例えば図１２の左方向へ光ファイバ３の横渡しを行い、さらに該光ファイバ３の途中を前記案内凸部８の他の１つに引掛けて光ファイバ３の一端部側を上方へ上げ、該光ファイバ３の一端部を前記１つの余長処理具４と離間した位置の他の余長処理具４及び該余長処理具４に対応した回路基板１と対応する位置に配置することができる。この結果、例えば前記１つの余長処理具４に対応する１つの回路基板１の１つ又は複数の接続部１ａに接続されている光部品が故障し、故障した光部品に対応する光ファイバ３を、故障した光部品を有する回路基板１と離間した位置に配置された他の回路基板１の予備の接続部１ａに接続するとき、案内凸部８によって光ファイバ３を整然と配置することができる。
【００６７】
尚、実施の形態１のように回路基板１に対して背面となる位置に余長処理具４が配置されている場合、光ファイバ横渡し用の案内凸部８を集線装置の各回路基板１の下方に設けてもよい。この場合、筐体２の前面側で、各回路基板１に対応する位置に、その長手方向が上下となる第１の案内凸部と、その長手方向が前後となる第２の案内凸部とを夫々設け、前記挿通路２３から引き出された光ファイバ３の１本又は複数本の途中を第１の案内凸部に引掛けて横渡しを行い、さらに該光ファイバの途中を第２の案内凸部に引掛けて光ファイバ３の一端部側を前記１つの余長処理具４と離間した位置の他の余長処理具４及び該余長処理具４に対応した回路基板１と対応する位置に配置させる。
【００６８】
その他の構成及び作用は実施の形態１と同じであるため、同様の部品については同じ符号を付し、その詳細な説明及び作用効果の説明を省略する。
【００６９】
尚、以上説明した実施の形態の余長処理具４は離間した２つの保持片４３を備え、各保持片４３の互いに近い側に係止手段４４を設けた構成としたが、その他、余長処理具４は、例えば２つの保持片４３の互いに遠い側に係止手段４４を設けた構成としてもよいし、また、２つの保持片４３のうちの１つの保持片４３は互いに近い側に係止手段４４を設け、他の１つの保持片４３は互いに遠い側に係止手段４４を設けた構成としてもよい。また、以上説明した実施の形態では保持片４３を２つとしたが、その他、前記保持片４３を１つとし、該保持片４３と離間した位置に鉤形の係止片を設け、光ファイバ３の巻回部分３ａの１箇所を前記保持片４３及び余長処理具本体４１の間の保持空間に挿入保持し、前記巻回部分３ａの他の箇所を前記係止片と前記余長処理具本体４１との間の空間部で保持する構成としてもよく、余長処理具４の構成は特に制限されない。
【００７０】
実施の形態３
図１３は本発明に係る集線装置の実施の形態３の構成を示す縦断側面図、図１４は集線装置の実施の形態３の構成を示す背面図、図１５は集線装置の背面側の一部を拡大して示す斜視図、図１６は集線装置の余長処理具が光ファイバの余長部分を処理した状態を示す斜視図である。
【００７１】
実施の形態３の集線装置は、筺体２の収容部２１に対して背面側で、挿通路２３に対して上方となる位置に複数の余長処理具４ａを並置して格納する格納部２６を設け、挿通路２３を外部に開放し、さらに格納部２６の下側２６ｂを開放したものである。
【００７２】
実施の形態３において、格納部２６は回路基板１と同数の余長処理具４ａを並置して格納することができる大きさの直方体形状に形成されている。この格納部２６の収容部２１と反対側となる後側２６ａは余長処理具４ａを筺体２の後方から前方へ挿入することができるように開放されている。さらに、格納部２６の挿通路２３側となる下側２６ｂが全面的に開放されている。また、格納部２６内の上部で、前後方向の中央部には余長処理具４ａの並置方向と平行に係止部としての係止杆９が設けられている。
【００７３】
また、格納部２６の後側２６ａ下部には余長処理具４ａの並置方向と平行に支持板１０が設けられており、該支持板１０に各余長処理具４ａに保持された光ファイバ３の途中を保持するクランプ部材１１が等間隔で設けられている。
このクランプ部材１１は、支持板１０に穿設された上下方向の貫通孔に嵌合固定される嵌合部と、該嵌合部の上端に連なる角形のクランプ部１１ａとを有し、該クランプ部１１ａに光ファイバ３の途中を保持している。
【００７４】
図１７は余長処理具４ａの斜視図である。
余長処理具４ａは、略四角形の板からなる余長処理具本体４１と、その一端が余長処理具本体４１と連なる略コ字形の２つの保持片４３と、該保持片４３の他端を前記余長処理具本体４１に係止する係止手段４４と、余長処理具本体４１の周縁部に突設された略Ｃ字形の外側周壁４７と、該外側周壁４７の外側に突設され、前記係止杆９に係止されるフック形の被係止部４８と、余長処理具本体４１の中央側に突設された内側周壁４９とを有する。
【００７５】
外側周壁４７及び内側周壁４９の周方向途中には、その先端が互いに向き合い、可撓性を有する補助保持片４０ａ，４０ｂが余長処理具本体４１と平行に突設されている。
保持片４３と、係止手段４４とは実施の形態１の保持片４３及び係止手段４４と同じ構造であり、前記巻回部分３ａを格納部２６から引き出された余長処理具本体４１と保持片４３との間の保持部の保持空間に挿入保持する。
被係止部４８は余長処理具４ａの上側となる位置に外側周壁４７と一体に突設されている。
尚、図１４において、１２，１３は電源用ケーブルであり、何れか一方が予備用である。
【００７６】
実施の形態３にあっては、実施の形態１と同様、各回路基板１に対応する光ファイバ３の複数本を一括して巻回し、この巻回部分３ａを格納部２６から引き出された余長処理具本体４１と保持片４３との間の保持部の保持空間に挿入保持する。この際、大径の巻回部分３ａは外側周壁４７で保持することができ、小径の巻回部分３ａは内側周壁４９で保持することができるため、余長部分の長さが異なる複数本の光ファイバ３を１つの余長処理具４ａで容易に処理することができる。
【００７７】
余長処理した余長処理具４ａは、余長処理具本体４１の外側周壁４７が設けられていない端部を摘み、筺体２の後方から格納部２６に挿入し、被係止部４８を係止杆９に係止することにより格納部２６に格納することができる。
【００７８】
図１５に示すように格納された余長処理具４ａの総数が最大格納個数に対して例えば１つ少なく、接続部１ａに光ファイバ３が接続されていない回路基板１が１つ発生している状態で集線装置が使用されている場合において、新たに光ファイバ３の本数が増加し、この光ファイバ３を未使用の前記１つの回路基板１の接続部１ａに接続するとともに、余長処理を行う際には、各光ファイバ３の一端部に結合された光コネクタ５が筺体２の挿通路２３に挿入され、該挿通路２３から回路基板の前面側へ引き出され、各光コネクタ５が回路基板１の接続部１ａに各別に接続される。この接続により発生した複数本の光ファイバ３の余長部分が格納部２６の外で余長処理具４ａの保持部に巻回され、この余長処理具４ａが格納部２６に格納される。
【００７９】
実施の形態３では、挿通路２３に対して上方となる位置に格納部２６を設けて挿通路２３を外部に開放してあるため、格納部２６で邪魔されることなく、格納部２６と挿通路２３との間の空間を利用して光ファイバ３を挿通路２３へ容易に挿入することができる。
【００８０】
また、格納部２６の下側２６ｂを開放してあるため、格納部２６に余長処理具４ａの格納スペースが１つ分だけ残っている場合など、余長処理具４ａを狭い格納スペースに格納して余長処理を行う際に、その一端部にかさばる光コネクタ５を有する複数の光ファイバ３の各光コネクタ５を狭い格納スペースに通すことなく、格納部２６の下側の開放部から挿通路２３へ容易に挿入することができる。また、巻回した光ファイバ３を保持した余長処理具４ａが格納された後でも、格納部２６の下側の開放部で光ファイバ３にアクセスして巻回状態を整えることができる。
【００８１】
しかも、格納部２６には係止部としての係止杆９が設けられており、この係止杆９に余長処理具４ａの被係止部４８を係止するようにしてあるため、この余長処理具４ａの格納を容易にできる。
【００８２】
また、係止部としての係止杆９は余長処理具４ａの並置方向と平行に設けられているため、余長処理具４ａを格納部２６に挿入する際、又は、格納部２６から取り出す際、既に格納されている余長処理具４ａを係止杆９に沿って左右方向へ動かせることができ、余長処理具４ａの挿脱を容易にできる。
【００８３】
また、余長処理具４ａは板からなる余長処理具本体４１の周縁部に外側周壁４７が突設されているため、余長処理具４ａが保持した光ファイバ３の巻回部分３ａを外側周壁４７により保護することができる。
その他の構成及び作用は実施の形態１と同じであるため、同様の部品については同じ符号を付し、その詳細な説明及び作用効果の説明を省略する。
【００８４】
尚、実施の形態３のようにフック形の被係止部４８を係止部としての係止杆９に係止する構成にあっては、被係止部４８の係止部に対する外れを防ぐ外れ防止手段と、余長処理具４ａの揺れを防ぐ揺れ防止手段との一方、又は両方を備える構成としてもよい。この外れ防止手段、揺れ防止手段は例えば係止杆９の近傍に取外し可能で、係止杆９と平行に取付ける杆部材を有する構成、又は、被係止部４８を係止部に係止する際に余長処理具４ａと当接して撓み、係止後に弾性復元する板ばねを有する構成とするのであり、その構成と特に制限されない。
【００８５】
実施の形態４
図１８は本発明に係る集線装置の実施の形態４の構成を示す縦断側面図である。
実施の形態４の集線装置は、係止部としての前記係止杆９及び前記被係止部４８を２つとし、各余長処理具４ａを二点で支持したものである。
【００８６】
実施の形態４において、係止杆９及び被係止部４８は余長処理具４ａの挿入方向、換言すれば筺体２の前後方向に離隔して配置されている。
【００８７】
実施の形態４にあっては、各被係止部４８を各係止杆９に係止することにより余長処理具４ａを二点で支持し、余長処理具４ａの格納部２６での揺動を防ぐことができるため、通信用の光ファイバにあっては、余長処理具４ａの揺れによる通信障害等の影響をなくすることができる。
その他の構成及び作用は実施の形態１、３と同じであるため、同様の部品については同じ符号を付し、その詳細な説明及び作用効果の説明を省略する。
【００８８】
実施の形態５
図１９は本発明に係る集線装置の実施の形態５の構成を示す縦断側面図である。
実施の形態５の集線装置は、筺体２の収容部２１に対して背面側で、挿通路２３に対して下方となる位置に複数の余長処理具４ａを並置して格納する格納部２６を設け、挿通路２３を外部に開放し、さらに格納部２６の上側２６ｃを開放したものである。
【００８９】
実施の形態５において、格納部２６は回路基板１と同数の余長処理具４ａを並置して格納することができる大きさの直方体形状に形成されている。この格納部２６の収容部２１と反対側となる後側２６ａは余長処理具４ａを筺体２の後方から前方へ挿入することができるように開放されている。さらに、格納部２６の挿通路２３側となる上側２６ｃが全面的に開放されている。また、前記係止杆９は設けられていない。
【００９０】
余長処理具４ａは格納部２６に格納した際に下側となる部分を除く周面部に略Ｃ字形の前記外側周壁４７を突設し、該外側周壁４７に前記被係止部４８を設けていない構成としてある。この余長処理具４ａは格納部２６に格納された際に、前記外側周壁４７の外面が格納部２６の底面に接触して支持される。
【００９１】
実施の形態５にあっては、挿通路２３に対して下方となる位置に格納部２６を設けて挿通路２３を外部に開放してあるため、格納部２６で邪魔されることなく、格納部２６と挿通路２３との間の空間を利用して光ファイバ３を挿通路２３へ容易に挿入することができる。
【００９２】
また、格納部２６の上側２６ｃを開放してあるため、格納部２６に余長処理具４ａの格納スペースが１つ分だけ残っている場合など、余長処理具４ａを狭い格納スペースに格納して余長処理を行う際に、その一端部にかさばる光コネクタ５を有する複数の光ファイバ３の各光コネクタ５を狭い格納スペースに通すことなく、格納部２６の上側の開放部から挿通路２３へ容易に挿入することができる。また、巻回した光ファイバ３を保持した余長処理具４ａが格納された後でも、格納部２６の上側の開放部で光ファイバ３にアクセスして巻回状態を整えることができる。
尚、実施の形態５においても実施の形態４の構成を採用してもよい。
その他の構成及び作用は実施の形態１、３と同じであるため、同様の部品については同じ符号を付し、その詳細な説明及び作用効果の説明を省略する。
【００９３】
実施の形態６
図２０は本発明に係る集線装置の実施の形態６の構成を示す縦断側面図である。
実施の形態６の集線装置は、筺体２の収容部２１に対して背面側で、挿通路２３に対して後方となる位置、換言すれば挿通路２３に対して後方へ離隔した位置に複数の余長処理具４ａを並置して格納する格納部２６を設け、挿通路２３を外部に開放し、さらに格納部２６の下側２６ｂを開放したものである。
【００９４】
実施の形態６において、格納部２６は回路基板１と同数の余長処理具４ａを並置して格納することができる大きさの直方体形状に形成されている。この格納部２６の収容部２１と反対側となる後側２６ａは余長処理具４ａを筺体２の後方から前方へ挿入することができるように開放されている。さらに、格納部２６の挿通路２３側となる下側２６ｂが全面的に開放されている。また、格納部２６内の上部で、前後方向の中央部には余長処理具４ａの並置方向と平行に係止杆９が設けられている。
【００９５】
実施の形態６にあっては、挿通路２３に対して後方となる位置に格納部２６を設けて挿通路２３を外部に開放してあるため、格納部２６で邪魔されることなく、格納部２６と挿通路２３との間の空間を利用して光ファイバ３を挿通路２３へ容易に挿入することができる。
【００９６】
また、格納部２６の下側２６ｂを開放してあるため、格納部２６に余長処理具４ａの格納スペースが１つ分だけ残っている場合など、余長処理具４ａを狭い格納スペースに格納して余長処理を行う際に、その一端部にかさばる光コネクタ５を有する複数の光ファイバ３の各光コネクタ５を狭い格納スペースに通すことなく、格納部２６の下側の開放部から挿通路２３へ容易に挿入することができる。また、巻回した光ファイバ３を保持した余長処理具４ａが格納された後でも、格納部２６の下側の開放部で光ファイバ３にアクセスして巻回状態を整えることができる。
【００９７】
尚、以上説明した実施の形態６では、格納部２６の下側２６ｂを開放したが、その他、格納部２６の下側２６ｂを開放することなく、格納部２６の上側２６ｃを開放してもよいし、また、格納部２６の下側２６ｂ及び上側２６ｃを開放してもよい。
また、実施の形態６においても実施の形態４の構成を採用してもよい。
その他の構成及び作用は実施の形態１、３と同じであるため、同様の部品については同じ符号を付し、その詳細な説明及び作用効果の説明を省略する。
【００９８】
尚、以上説明した実施の形態３、４、５、６では、格納部２６の下側２６ｂ、又は、上側２６ｃを全面的に開放したが、その他、下側２６ｂ、上側２６ｃは前記光コネクタ５を格納部２６から外部へ取り出し易い位置の一部を開放した構成としてもよい。
【００９９】
また、以上説明した実施の形態３、４、６では、係止部としての係止杆９を余長処理具４ａの並置方向と平行に設けたが、その他、この係止杆９は格納部２６の背面側に設けてもよい。また、係止部は１つの杆である他、各余長処理具４ａに対応する位置に配置した複数の係止部材であっもよく、係止部の構成は特に制限されない。
【０１００】
【発明の効果】
以上詳述したように第１発明によれば、余長処理具は複数の光ファイバが巻回された巻回部分を保持する保持部を有するため、光ファイバの本数に比べて余長処理具の個数を少なくすることができ、余長処理具を格納するための格納スペースを少なくすることができ、光ファイバの本数の割に集線装置の全体を小形にできる。
【０１０１】
第２発明によれば、余長処理具が回路基板に対して該回路基板が挿脱される位置と反対側位置に配置してあるため、余長処理具を格納するための格納スペースを回路基板の上方に設ける必要がなく、光ファイバの本数の割に集線装置の全体を低くすることができる。
【０１０２】
第３発明によれば、余長処理具によって巻回処理された光ファイバを挿通路に配置することができるため、光ファイバの余長を短くすることができる。
【０１０３】
第４発明によれば、挿通路の回路基板側が余長処理具側よりも低くしてあるため、光ファイバを挿通路から容易に引き出すことができる。
【０１０４】
第５発明によれば、余長処理具本体と保持片との間に閉ループの保持空間を形成することができるため、複数の光ファイバが一括して巻回される場合においても、この巻回部分を、前記係止手段による保持片の係止を解除して前記保持空間に挿入することにより保持することができ、複数の光ファイバの余長処理具への保持を容易にできる。
【０１０５】
第６発明によれば、余長処理具本体及び保持片の間に、光ファイバの巻回部分の外周側が接触する外周側保持部と、前記巻回部分の内周側が接触する内周側保持部とを有するため、余長部分の長さが異なる複数の光ファイバを１つの余長処理具で容易に処理することができる。
【０１０６】
第７発明によれば、離間した位置に形成された複数の保持空間の互いに近い側から保持空間へ光ファイバの巻回部分を挿入することができるため、保持片の係止手段による係止を解除した状態で前記保持空間に光ファイバの巻回部分を挿入したとき、光ファイバの巻回部分の弾性復元によって巻回部分の巻回状態を維持することができ、しかも、巻回部分で邪魔されることなく係止手段の操作ができる。
【０１０７】
第８発明によれば、回路基板の下方に複数の案内凸部を備えるため、光ファイバの横渡しを行うとき、該光ファイバを整然と配置することができる。
【０１０８】
第９発明によれば、複数の余長処理具を筺体の後方から前方へ挿入することにより並置して格納する格納部を挿通路に対して上方、下方、後方の何れか一方に配置してあり、挿通路を外部に開放してあるため、格納部で邪魔されることなく、格納部と挿通路との間の空間を利用して光ファイバを挿通路へ容易に挿入することができる。
【０１０９】
第１０発明によれば、格納部は上側及び下側の少なくとも一方が開放されているため、格納部に余長処理具の格納スペースが１つ分だけ残っている場合など、余長処理具を狭い格納スペースに格納して余長処理を行う際に、その一端部にかさばる光コネクタを有する複数の光ファイバの各光コネクタを狭い格納スペースに通すことなく、格納部の上側又は下側の開放部から挿通路へ容易に挿入することができる。しかも、巻回した光ファイバを保持した余長処理具が格納された後でも、格納部の上側又は下側の開放部で光ファイバにアクセスして巻回状態を整えることができる。
【０１１０】
第１１発明によれば、余長処理具の被係止部を係止部に係止することにより、余長処理具を格納することができるため、この余長処理具の格納を容易にできる。
【０１１１】
第１２発明によれば、複数の光ファイバを１つの余長処理具に巻回して処理することができるため、光ファイバの本数に比べて余長処理回数を低減でき、しかも、余長処理の作業性を向上できる。
【０１１２】
第１３発明によれば、複数の光ファイバを一括して巻回し、この巻回部分を余長処理具に保持させるため、光ファイバの本数に比べて余長処理回数をより一層低減でき、余長処理の作業性をより一層向上できる。
【０１１３】
第１４発明によれば、大径の巻回部分及び小径の巻回部分を余長処理具に保持させるため、余長部分の長さが異なる複数の光ファイバの余長処理の作業性を向上できる。
【０１１４】
第１５発明によれば、余長処理具を格納部に挿入するとき、新たに余長を発生させることなく、余長処理具を格納部に格納することができる。また、余長処理具を格納部から該格納部の外側へ引き出すとき、光ファイバを突っ掛からせることなく余長処理具を引き出すことができる。
【図面の簡単な説明】
【図１】本発明に係る集線装置の実施の形態１の構成を示す図であって、一部を省略した斜視図である。
【図２】本発明に係る集線装置の縦断側面図である。
【図３】本発明に係る集線装置の正面図である。
【図４】本発明に係る集線装置が架台に搭載された状態の斜視図である。
【図５】本発明に係る集線装置の背面側の一部を示す斜視図である。
【図６】本発明に係る集線装置の余長処理具が光ファイバの余長部分を処理した状態を示す斜視図である。
【図７】本発明に係る集線装置の余長処理具の斜視図である。
【図８】本発明に係る集線装置の余長処理具の断面図である。
【図９】光ファイバの巻回部分を余長処理具に保持させる前の状態を示す斜視図である。
【図１０】光ファイバの余長部分を処理した余長処理具を格納する動作を示す斜視図である。
【図１１】本発明に係る集線装置の実施の形態２の構成を示す正面図である。
【図１２】本発明に係る集線装置の実施の形態２の構成を示す縦断側面図である。
【図１３】本発明に係る集線装置の実施の形態３の構成を示す縦断側面図である。
【図１４】本発明に係る集線装置の実施の形態３の構成を示す背面図である。
【図１５】本発明に係る集線装置の実施の形態３の背面側の一部を拡大して示す斜視図である。
【図１６】本発明に係る集線装置の実施の形態３の余長処理具が光ファイバの余長部分を処理した状態を示す斜視図である。
【図１７】本発明に係る集線装置の実施の形態３の余長処理具の斜視図である。
【図１８】本発明に係る集線装置の実施の形態４の構成を示す縦断側面図である。
【図１９】本発明に係る集線装置の実施の形態５の構成を示す縦断側面図である。
【図２０】本発明に係る集線装置の実施の形態６の構成を示す縦断側面図である。
【符号の説明】
１　　回路基板
１ａ　接続部
２　　筺体
２３　挿通路
２６　格納部
２６ｂ　下側
２６ｃ　上側
３　　光ファイバ
３ａ　巻回部分
４，４ａ　　余長処理具
４１　余長処理具本体
４３　保持片
４４　係止手段
４５ａ　外周側保持部
４５ｂ　内周側保持部
４８　被係止部
８　　案内凸部
９　　係止杆（係止部）
【図１】
2004029701.tif 000003
【図２】
2004029701.tif 000004
【図３】
2004029701.tif 000005
【図４】
2004029701.tif 000006
【図５】
2004029701.tif 000007
【図６】
2004029701.tif 000008
【図７】
2004029701.tif 000009
【図８】
2004029701.tif 000010
【図９】
2004029701.tif 000011
【図１０】
2004029701.tif 000012
【図１１】
2004029701.tif 000013
【図１２】
2004029701.tif 000014
【図１３】
2004029701.tif 000015
【図１４】
2004029701.tif 000016
【図１５】
2004029701.tif 000017
【図１６】
2004029701.tif 000018
【図１７】
2004029701.tif 000019
【図１８】
2004029701.tif 000020
【図１９】
2004029701.tif 000021
【図２０】
2004029701.tif 000022